(57)【要約】【目的】光源から白色照明光と有色ムード光とを同時に射出でき、かつ透光カバーを容易に組み立てることができる発光ダイオードランプを提供する。【解決手段】発光ダイオードランプが、ランプシェードと、透光カバー（colored light-premeable  cover）と、レンズと、発光ダイオード光源とを含む。ランプシェードが収容槽（receiving tank）を有する。透光カバーが、カバー体および複数の定位材を含む。定位材がカバー体に連接される。透光カバーが、定位材によりランプシェードに係合（fixed at the lamp shade）されて収容槽を被覆する。レンズが収容槽内に配置される。透光カバーがレンズの一部を露出させる。発光ダイオード光源がレンズに対応するように収容槽内に配置される。発光ダイオード光源が光線をレンズへ射出して、レンズから照明光を射出し、かつ光線がカバー体および定位材を透射して、カバー体および定位材からムード光を射出する。【選択図】図３
0003153658.tif 000002
【実用新案登録請求の範囲】
【請求項１】
収容槽を有するランプシェードと、
開口を有するカバー体、および前記カバー体に連接される複数の定位材を備えるとともに、前記複数の定位材により前記ランプシェードに係合されて前記収容槽を被覆する透光カバーと、
前記収容槽内に配置されるとともに、前記透光カバーが前記開口を通じて、その一部を露出させるレンズと、
前記レンズに対応するように前記収容槽内に配置されるとともに、それが光線を前記レンズへ射出して、前記レンズから照明光を射出し、かつ前記光線が前記カバー体および前記複数の定位材を透射して、前記カバー体および前記した複数の定位材からムード光を射出する発光ダイオード光源と
を含むことを特徴とする発光ダイオードランプ。
【請求項２】
更に、前記収容槽内に配置される回路板を含み、
そのうち前記発光ダイオード光源が前記回路板上に配置され、前記回路板と導通することを特徴とする請求項１記載の発光ダイオードランプ。
【請求項３】
前記カバー体が、複数の散熱開孔を有することを特徴とする請求項１記載の発光ダイオードランプ。
【請求項４】
前記ランプシェードが、更に、前記収容槽の頂端に位置する環状フランジを有して、前記した複数の定位材の一部と建設的干渉を形成することを特徴とする請求項１記載の発光ダイオードランプ。
【請求項５】
前記ランプシェードが、更に、前記収容槽内に位置する複数の定位溝を有して、前記した複数の定位材を収納することを特徴とする請求項１記載の発光ダイオードランプ。
【請求項６】
前記ランプシェードが、更に、複数の散熱開槽を有し、かつ前記した複数が前記した複数の定位材を露出させることを特徴とする請求項１記載の発光ダイオードランプ。
【請求項７】
前記透光カバーが、有色透光カバーであることを特徴とする請求項１記載の発光ダイオードランプ。
【考案の詳細な説明】
【技術分野】
【０００１】
この考案は、ランプに関し、特に、発光ダイオードランプ（Light-Emitting Diode Lamp）に関するものである。
【背景技術】
【０００２】
発光ダイオード（Light-Emitting Diode）は、半導体デバイスに属し、その発光チップの材料がＩＩＩ−Ｖ族化学元素の化合物、例えば、ガリウムリン（ＧａＰ）またはガリウムヒ素（ＧａＡｓ）を主要に使用しており、その発光原理は、電気エネルギーを光エネルギーに変換するものである。詳細に言うと、発光ダイオードは、半導体化合物に対して電流を印加することにより、電子と空孔との結合を介して過剰なエネルギーを光の形式で放出する。発光ダイオードの発光現象は、加熱発光または放電発光ではないので、発光ダイオードの寿命は、十万時間以上に達する。また、発光ダイオードは、更に、反応速度が速い、体積が小さい、省電力である、汚染が少ない、信頼性が高い、量産に適している等の利点があるから、発光ダイオードの応用領域は、相当に広範なものであって、例えば、大型看板・交通信号灯・携帯電話・スキャナー・ファクシミリの光源ならびに発光ダイオードランプなどがそうである。
【考案の概要】
【考案が解決しようとする課題】
【０００３】
発光ダイオードランプについて言えば、それが照明機能を提供する以外にも、しばしば装飾またはムード機能も兼ね備えている。例えば、展示商品を照明する展示灯として用いて、もしも、それが照明光を提供すると同時に、また、商品の属性に合わせて各種の色彩を有するムード光を提供することができれば、さらに消費者の眼を引きつけることができる。
【０００４】
（考案の目的）
そこで、この考案の目的は、光源から白色照明光と有色ムード光とを同時に射出でき、かつ透光カバーを容易に組み立てることができる発光ダイオードランプを提供することにある。
【課題を解決するための手段】
【０００５】
この考案は、発光ダイオードランプを提供するものであり、その発光ダイオードランプはランプシェードと、透光カバーと、レンズと、発光ダイオード光源とを含む。ランプシェードが収容槽を有する。透光カバーが１つのカバー体と複数の定位材とを含む。カバー体が開口を有する。定位材がカバー体に連接され、透光カバーが定位材によりランプシェードに挟設されて収容槽を被覆する。レンズが収容槽内に配置され、透光カバーが開口を通じてレンズの一部を露出させるとともに、それぞれ透光カバーおよびランプシェード間に少なくとも１つの散熱経路を確立して、その経路により散熱ならびに導光作用を向上させる。発光ダイオード光源がレンズに対応して収容槽内に配置され、発光ダイオード光源が光線をレンズへ射出して、レンズから照明光を射出し、かつ光線がカバー体および定位材へ透射され、カバー体および定位材からムード光を発射する。
【０００６】
この考案の実施形態中、前記発光ダイオードランプが更に収容槽内に配置された回路板を含み、発光ダイオード光源が回路板上に配置され、かつ回路板と導通する。
【０００７】
この考案の実施形態中、前記カバー体が複数の散熱開孔を有する。
【０００８】
この考案の実施形態中、前記ランプシェードが更に収容槽の頂端に位置する環状フランジを有し、かつ定位材の一部と環状フランジとが建設的干渉を形成する。
【０００９】
この考案の実施形態中、前記ランプシェードが更に収容槽内に位置する複数の定位槽を有して、定位材を収容する。
【００１０】
この考案の実施形態中、前記ランプシェードが更に複数の散熱開槽を有し、かつ散熱開槽が定位材を露出させる。
【００１１】
この考案の実施形態中、前記透光カバーが有色透光カバーである。
【００１２】
（作用）
上記に基づいて、この考案の発光ダイオードランプは、その発光ダイオード光源が、それぞれレンズと透光カバーのカバー体および透光カバーの定位材を通じて、照明光ならびにムード光を射出することができ、かつ使用者が必要に応じて異なる色彩の透光カバーを選択使用できる。また、透光カバーは、定位材によりランプシェードに係合されるもので、固定方式で実装するものではないから、実装上、比較的便利である。
【考案の効果】
【００１３】
つまり、この考案の発光ダイオードランプは、その発光ダイオード光源が、それぞれレンズと透光カバーのカバー体および透光カバーの定位材を通じて、照明光ならびにムード光を射出することができ、使用者が必要に応じて異なる色彩の透光カバーを選択使用できる。また、散熱開孔、散熱開槽および散熱破孔が熱対流により発光ダイオードランプの散熱効率を向上させることができる。
【図面の簡単な説明】
【００１４】
【図１】この考案の実施形態にかかる発光ダイオードランプを示す立体図である。
【図２】図１の発光ダイオードランプを示す分解斜視図である。
【図３】図１の発光ダイオードランプを示す断面図である。
【図４】図１の発光ダイオードランプを示す要部構造図である。
【図５】図１の発光ダイオードランプを示す要部構造立体図である。
【図６】図１の透光カバーを示す要部構造立体図である。
【図７】図１の発光ダイオードランプを示す要部構造立体図である。
【図８】図１の定位材を示す立体図である。
【図９】図１のケーシングを示す上面図である。
【考案を実施するための形態】
【００１５】
以下、この考案を実施するための形態を図面に基づいて説明する。
図１は、この考案の実施形態にかかる発光ダイオードランプを示す立体図である。図２は、図１の発光ダイオードランプを示す分解斜視図である。図３は、図１の発光ダイオードランプを示す断面図である。図１から図３において、この実施形態の発光ダイオードランプ１００は、ランプシェード１１０と、透光カバー１２０と、レンズ１３０と、少なくとも１つの発光ダイオード光源１４０（図示は複数個）とを含む。ランプシェード１１０は、収容槽１１２を有する。透光カバー１２０は、カバー体１２２と、多数個の定位材１２４とを含む。
【００１６】
カバー体１２２が開口１２２ａを有する。定位材１２４がカバー体１２２に連接され、透光カバー１２０が定位材１２４によりランプシェード１１０に係合されて収容槽１１２を被覆する。レンズ１３０が収容槽１１２内に配置され、透光カバー１２０が開口１２２ａを通じて、レンズ１３０の一部を露出させるとともに、それぞれ透光カバー１２０およびランプシェード１１０間に１つ又は複数の散熱経路を確立して、その経路が散熱ならびに導光の作用を向上させる。発光ダイオード光源１４０がレンズ１３０に対応して収容槽１１２内に配置される。また、発光ダイオード光源１４０が光線Ｌをレンズ１３０へ射出し、レンズ１３０から照明光Ｌ'が発射され、かつ光線（照明光Ｌ'）がカバー体１２２および定位材１２４を透射して、カバー体１２２および定位材１２４からムード光Ｌ"を発射する。
【００１７】
この実施形態中、発光ダイオードランプ１００は、例えば、展示商品（図示せず）を照射する展示灯である。使用者は、商品の属性またはその他の必要により、異なる色彩の透光カバー１２０を有する発光ダイオードランプ１００を選択使用できるので、ムード光Ｌ"に変化性ならびに選択性を持たせる。また、注意すべきことは、通常のビス固定の実装方式と比較して、定位材１２４を介して、透光カバー１２０およびランプシェード１１０を組み立てることは、更に便利で迅速になることである。
【００１８】
図２おいて、この実施形態中、発光ダイオードランプ１００が更に回路板１５０を含み、収容槽１１２内に配置しる。更に、発光ダイオード光源１４０が回路板１５０上に配置され、かつ回路板１５０と導通している。図４は、図１の発光ダイオードランプを示す要部要部構造図である。図４において、この実施形態中、回路板１５０は、収容槽１１２の底面１１２ａに埋設されて、回路板１５０と底面１１２ａとの接触面積を増大することができ、熱伝導効率を向上させて散熱を加速することができる。
【００１９】
図２おいて、カバー体１２２が複数の散熱開孔１２２ｂを有し、かつランプシェード１１０が複数の散熱開槽１１４を備えて、発光ダイオードランプ１００の散熱効率を向上させる。例えば、使用者は、散熱開槽１１４を上方へ向けて、散熱開槽１１４で空気上昇原理によって、ランプシェード１１０内の熱空気を排出する機能を持たせることができ、散熱開孔１２２ｂが対応して、カバー体１２２外の冷空気を吸入する機能を持たせることができる。また、散熱開槽１１４が定位材１２４を露出させるので、ムード光Ｌ"（図３に図示）を定位材１２４から外界へ透射することができる。
【００２０】
図５は、図１の発光ダイオードランプを示す要部構造立体図である。図６は、図１の透光カバーを示す要部構造立体図である。図５と図６とにおいて、この実施形態中、カバー体１２２が更に環状遮光構造１２２ｃを備えて、カバー体１２２からレンズ１３０へ向かう表面１２２ｄに延伸し、かつレンズ１３０を取り囲んで散熱開孔１２２ｂならびにレンズ１３０間を分離して、レンズ１３０から発射される光線が散熱開孔１２２ｂから射出され、全体の視覚感想に影響を与えることを防止する。
【００２１】
図３において、ランプシェード１１０が更に収容槽１１２頂端に位置する環状フランジ１１２ｂを有し、かつ定位材１２４の一部と環状フランジ１１２ｂとが構造性干渉を形成して、透光カバー１２０をランプシェード１１０上に係合する。注意すべきは、定位材１２４の一部だけを選択して、環状フランジ１１２ｂと建設的干渉を形成できることは、組立時の利便性を増進できることである。
【００２２】
図７は、図１の発光ダイオードランプを示す要部構造立体図である。図８は、図１の定位材を示す立体図である。図７と図８とにおいて、ランプシェード１１０が更に収容槽１１２内に位置する複数の定位溝１１６を備え、その複数の定位溝１１６が定位材１２４を収容するために用いる。また、少なくとも１つの定位材１２４が突起１２４ａを有するとともに、突起１２４ａにより対応する定位溝１１６をしっかりと挟み、透光カバー１２０がランプシェード１１０に対して回動しないように防止し、構造を更に安定化させる。
【００２３】
図２と図３とにおいて、発光ダイオードランプ１００が更にケーシング１６０および配電板１７０を含む。ケーシング１６０がランプシェード１１０に組み合わされる。配電板１７０がケーシング１６０内に配置され、かつ回路板１５０と導通し、外部電源により発光ダイオード光源１４０の必要とする電力が提供される。図７において、ケーシング１６０とランプシェード１１０とが、ケーシング１６０内に固定されるビス１８０で組み合わされるため、ビス１８０が露出されて全体の美感に影響を及ぼすことを防止する。図９は、図１のケーシング１６０を示す上面図である。図９において、ケーシング１６０が複数の散熱破孔１６２を有して、散熱効率を向上させるために用いられる。
【００２４】
以上のごとく、この考案を実施形態により開示したが、もとより、この考案を限定するためのものではなく、当業者であれば容易に理解できるように、この考案の技術思想の範囲内において、適当な変更ならびに修正が当然なされうるものであるから、その特許権保護の範囲は、特許請求の範囲および、それと均等な領域を基準として定めなければならない。
【符号の説明】
【００２５】
１００  発光ダイオードランプ                          １１０  ランプシェード
１１２  収容槽                                        １１２ａ  底面
１１２ｂ  環状フランジ                                １１４  散熱開槽
１１６  定位溝                                        １２０  透光カバー
１２２  カバー体                                      １２２ａ  開口
１２２ｂ  散熱開孔                                    １２２ｃ  環状遮光構造
１２２ｄ  表面                                        １２４  定位材
１３０  レンズ                                        １４０  発光ダイオード光源
１５０  回路板                                        １６０  ケーシング
１６２  散熱破孔                                      １７０  配電板
１８０  ビス                                          Ｌ  光線
Ｌ'  照明光                                          Ｌ"  ムード光
【図１】
0003153658.tif 000003
【図２】
0003153658.tif 000004
【図３】
0003153658.tif 000005
【図４】
0003153658.tif 000006
【図５】
0003153658.tif 000007
【図６】
0003153658.tif 000008
【図７】
0003153658.tif 000009
【図８】
0003153658.tif 000010
【図９】
0003153658.tif 000011
【手続補正書】
【提出日】平成21年7月10日(2009.7.10)
【手続補正１】
【補正対象書類名】実用新案登録請求の範囲
【補正対象項目名】全文
【補正方法】変更
【補正の内容】
【実用新案登録請求の範囲】
【請求項１】
収容槽を有するランプシェードと、
開口を有するカバー体、および前記カバー体に連接される複数の定位材を備えるとともに、前記複数の定位材により前記ランプシェードに係合されて前記収容槽を被覆する透光カバーと、
前記収容槽内に配置されるとともに、前記透光カバーが前記開口を通じて、その一部を露出させるレンズと、
前記レンズに対応するように前記収容槽内に配置されるとともに、それが光線を前記レンズへ射出して、前記レンズから照明光を射出し、かつ前記光線が前記カバー体および前記複数の定位材を透射して、前記カバー体および前記した複数の定位材からムード光を射出する発光ダイオード光源と
を含むことを特徴とする発光ダイオードランプ。
【請求項２】
更に、前記収容槽内に配置される回路板を含み、
そのうち前記発光ダイオード光源が前記回路板上に配置され、前記回路板と導通することを特徴とする請求項１記載の発光ダイオードランプ。
【請求項３】
前記カバー体が、複数の散熱開孔を有することを特徴とする請求項１記載の発光ダイオードランプ。
【請求項４】
前記ランプシェードが、更に、前記収容槽の頂端に位置する環状フランジを有して、前記した複数の定位材の一部と係合することを特徴とする請求項１記載の発光ダイオードランプ。
【請求項５】
前記ランプシェードが、更に、前記収容槽内に位置する複数の定位溝を有して、前記した複数の定位材を収納することを特徴とする請求項１記載の発光ダイオードランプ。
【請求項６】
前記ランプシェードが、更に、複数の散熱開槽を有し、かつ前記した複数の散熱開槽が前記した複数の定位材を露出させることを特徴とする請求項１記載の発光ダイオードランプ。
【請求項７】
前記透光カバーが、有色透光カバーであることを特徴とする請求項１記載の発光ダイオードランプ。
【手続補正２】
【補正対象書類名】明細書
【補正対象項目名】００２１
【補正方法】変更
【補正の内容】
【００２１】
図３において、ランプシェード１１０が更に収容槽１１２頂端に位置する環状フランジ１１２ｂを有し、かつ定位材１２４の一部と環状フランジ１１２ｂとが構造性干渉を形成して、透光カバー１２０をランプシェード１１０上に係合する。注意すべきは、定位材１２４の一部だけを選択して、一部の定位材１２４を環状フランジ１１２ｂ上に係合できることは、組立時の利便性を増進できることである。